(57)【特許請求の範囲】
【請求項１】
他の基地局装置が形成する第２のサービスエリアを含み、前記第２のサービスエリアよりも広いエリアの第１のサービスエリアを形成し、前記第１のサービスエリアに在圏する端末装置と無線通信を行う基地局装置において、
前記基地局装置と有線接続された他の装置との間で交換される前記他の基地局装置の識別情報を、前記他の基地局装置を前記基地局装置と識別する第１の識別情報から、前記基地局装置において無線信号を送信又は受信するアンテナ毎に形成されたサービスエリアの各々を識別する第２の識別情報へ変更する制御部
を備えることを特徴とする基地局装置。
【請求項２】
前記第１の識別情報は前記他の基地局装置を識別する識別情報を含み、前記第２の識別情報には前記基地局装置を識別する識別情報と前記アンテナにより形成されたサービスエリアを識別する識別情報が含まれることを特徴とする請求項１記載の基地局装置。
【請求項３】
前記制御部は、前記端末装置が前記基地局装置から前記他の基地局装置へ移動するとき、又は前記端末装置が前記他の基地局装置から前記基地局装置へ移動するとき、前記第２の識別情報への変更を行うことを特徴とする請求項１記載の基地局装置。
【請求項４】
前記制御部は、前記端末装置が前記基地局装置から前記他の基地局装置へ移動するとき、第１のモードから第２のモードへ移行し、前記第２のモードにおいて、前記他の基地局装置の識別情報を前記第１の識別情報から前記第２の識別情報へ変更し、前記端末装置から前記他の基地局装置へ、及び前記他の基地局装置から前記基地局装置を経由して前記他の装置へ至る経路を設定し、
前記経路に従って前記端末装置と前記他の装置はデータを交換することを特徴とする請求項１記載の基地局装置。
【請求項５】
前記制御部は、前記経路を示す経路情報を生成し、前記経路情報に従って、前記他の装置から受け取った前記端末装置宛のデータを前記他の基地局装置へ送信し、前記他の基地局装置から受け取ったデータを前記他の装置へ送信することを特徴とする請求項４記載の基地局装置。
【発明の詳細な説明】
【技術分野】
【０００１】
本発明は基地局装置に関する。
【背景技術】
【０００２】
現在、携帯電話システムや無線ＬＡＮ（Local Area Network）などの通信システムが広く利用されている。また、移動通信の分野では、通信速度や通信容量、通信品質を更に向上させるべく、次世代の通信技術について継続的な議論が行われている。例えば、標準化団体である３ＧＰＰ（3rd Generation Partnership Project）ではＬＴＥ（Long Term Evolution）と呼ばれる通信規格や、ＬＴＥをベースとしたＬＴＥ−Ａ（LTE-Advanced）と呼ばれる通信規格の標準化が完了若しくは検討されている。
【０００３】
このような通信システムに関して、ＨｅｔＮｅｔ（Heterogeneous Network）と呼ばれる技術がある。ＨｅｔＮｅｔは、例えば、セル半径や無線通信方式の異なるシステムが同一のサービスエリアに混在するようにした技術である。これにより、例えば、ＨｅｔＮｅｔ以外の通信システムと比較して、ネットワーク全体のキャパシティ（又は容量）を改善させることができる。
【０００４】
ただし、ＨｅｔＮｅｔは、現在では、マクロセル基地局のサービスエリア（以下では、「マクロセル」と称する場合がある）の中に、マクロセルより狭いサービスエリア（以下では、「ピコセル」と称する場合がある）を有するピコセル基地局が階層的（又は重層的）に配置された通信システムの意味で用いられる。
【０００５】
Ｈｅｔｎｅｔ環境下の通信システムでは、端末装置がマクロセル内を移動する場合でも、マクロセルからピコセル、或いは、ピコセルからマクロセルへのセルの切り替え処理（又はハンドオーバ処理）が行われる場合がある。
【０００６】
そのため、Ｈｅｔｎｅｔ環境下の通信システムでは、Ｈｅｔｎｅｔ以外の通信システムと比較して、ハンドオーバ処理数が多くなる場合がある。従って、Ｈｅｔｎｅｔ環境下の通信システムでは、Ｈｅｔｎｅｔ以外の通信システムと比較して、基地局と制御装置間で交換される制御信号数も多くなり、有線ネットワーク内の基地局やＭＭＥ（Mobility Management Entity）などの各装置における処理負荷も増大する場合がある。
【０００７】
このような通信システムに関する技術として、例えば、以下の技術がある。
【０００８】
すなわち、マクロ局とローカル局、及び端末装置を備えた通信システムにおいて、ローカル局は端末装置において測定に用いられる測定用信号をユーザ識別子に基づいて生成して端末装置へ送信し、端末装置はユーザ識別子に基づいて、受信した測定用信号について測定する。
【０００９】
この技術によれば、例えば、高効率なスモールセル無線アクセスを提供する通信システムを提供することができる、とされる。
【００１０】
また、第１基地局がＸ２インタフェース設定要請メッセージを第２基地局へ送信し、第２基地局はＸ２インタフェース応答メッセージを第１基地局へ送信するようにした移動通信システムにおけるＸ２インタフェースの設定方法の技術がある。
【００１１】
この技術によれば、例えば、ホーム基地局間にＸ２インタフェースが設定され、ＵＥがホーム基地局間を移動できる、とされる。
【先行技術文献】
【特許文献】
【００１２】
【特許文献１】特開２０１４−３０１３２号公報
【特許文献２】特表２０１３−５２６２０７号公報
【発明の概要】
【発明が解決しようとする課題】
【００１３】
しかし、ユーザ識別子に基づいて測定用信号を生成する技術や、Ｘ２インタフェース設定要請メッセージを第１基地局から第２基地局へ送信する技術においては、Ｈｅｔｎｅｔにおいてハンドオーバの際に制御信号数が増加することについて何ら言及されていない。
【００１４】
従って、これら２つの技術では、Ｈｅｔｎｅｔにおいて端末がマクロセルからピコセルへ、或いはピコセルからマクロセルへハンドオーバする際、有線ネットワーク内の各装置において処理負荷が増大する場合がある。
【００１５】
そこで、一開示は、有線ネットワーク内の各装置で交換される制御信号数の増加を抑制するようにした基地局装置を提供することにある。
【００１６】
また、一開示は、有線ネットワーク内の各装置における処理負荷の増大を抑制するようにした基地局装置を提供することにある。
【課題を解決するための手段】
【００１７】
他の基地局装置が形成する第２のサービスエリアを含み、前記第２のサービスエリアよりも広いエリアの第１のサービスエリアを形成し、前記第１のサービスエリアに在圏する端末装置と無線通信を行う基地局装置において、前記基地局装置と有線接続された他の装置との間で交換される前記他の基地局装置の識別情報を、前記他の基地局装置を前記基地局装置と識別する第１の識別情報から、前記基地局装置において無線信号を送信又は受信するアンテナ毎に形成されたサービスエリアの各々を識別する第２の識別情報へ変更する制御部を備える。
【発明の効果】
【００１８】
一開示によると、有線ネットワーク内の各装置で交換される制御信号数の増加を抑制するようにした基地局装置を提供することができる。また、一開示によると、有線ネットワーク内の各装置における処理負荷の増大を抑制するようにした基地局装置を提供することができる。
【図面の簡単な説明】
【００１９】
【図１】図１は通信システム１０の構成例を表す図である。
【図２】図２は通信システム１０の構成例を表す図である。
【図３】図３は通信システム１０の構成例を表す図である。
【図４】図４は基地局装置の構成例を表す図である。
【図５】図５は通信システムにおけるシーケンス例を表す図である。
【図６】図６は基地局装置における動作例を表すフローチャートである。
【図７】図７（Ａ）は属性情報テーブル、図７（Ｂ）は属性変更テーブルの例をそれぞれ表す図である。
【図８】図８はｅＮＢ  ＩＤとＣｅｌｌ  ＩＤとの関係例を表す図である。
【図９】図９（Ａ）はＥ−ＣＧＩ、図９（Ｂ）はＥ−ＣＧＩ’の例をそれぞれ表す図である。
【図１０】図１０は通信システム１０の構成例を表す図である。
【図１１】図１１（Ａ）と図１１（Ｂ）は通常モードとマクロ配下モードの相違の例を表す図である。
【図１２】図１２は基地局装置における動作例を表すフローチャートである。
【図１３】図１３はループ設定ＯＮ又はＯＦＦとＨＯ要求の受信の有無とによる処理の相違を表した図である。
【図１４】図１４は通信システムにおけるシーケンス例を表す図である。
【図１５】図１５は通信システムにおけるシーケンス例を表す図である。
【図１６】図１６は通信システムにおけるシーケンス例を表す図である。
【図１７】図１７は通信システムにおけるシーケンス例を表す図である。
【図１８】図１８は通信システムにおけるシーケンス例を表す図である。
【図１９】図１９は通信システムにおけるシーケンス例を表す図である。
【図２０】図２０は基地局装置の構成例を表す図である。
【発明を実施するための形態】
【００２０】
以下、本発明を実施するための形態について説明する。
【００２１】
［第１の実施の形態］
図１は第１の実施の形態における通信システム１０の構成例を表す図である。通信システム１０は、基地局装置１００−１、他の基地局装置１００−２、端末装置２００、及び他の装置６００を備える。
【００２２】
基地局装置１００−１は、第１のサービスエリア１００−Ｍを形成する。一方、他の基地局装置１００−２は、第２のサービスエリア１００−Ｐを形成する。第１のサービスエリア１００−Ｍは、第２のサービスエリア１００−Ｐを含み、第２のサービスエリア１００−Ｐよりも広いエリアとなっている。
【００２３】
このように通信システム１０においては、第１のサービスエリア１００−Ｍと第２のサービスエリア１００−Ｐが階層的に配置されている。このようにサービスエリア（又はセル）が階層的に配置された通信システムを、例えば、Ｈｅｔｎｅｔと称する場合がある。
【００２４】
基地局装置１００−１は、第１のサービスエリア１００−Ｍに在圏する端末装置２００と無線通信を行う。一方、他の基地局装置１００−２も、第２のサービスエリア１００−Ｐに端末装置２００が在圏するときに、端末装置２００と無線通信を行う。端末装置２００は、無線通信によって、通話サービスなど様々なサービスの提供を受けることができる。
【００２５】
基地局装置１００−１は制御部１２２を備える。制御部１２２は、基地局装置１００−１と有線接続された他の装置６００との間で交換される他の基地局装置１００−２の識別情報について、第１の識別情報から第２の識別情報へ変更する。
【００２６】
第１の識別情報は、例えば、他の基地局装置１００−２を基地局装置１００−１と識別する識別情報である。
【００２７】
また、第２の識別情報は、例えば、基地局装置１００−１において無線信号を送信又は受信するアンテナ毎に形成されたサービスエリアの各々を識別する識別情報である。第２の識別情報としては、例えば、基地局装置１００−１において各セクタを識別する識別情報がある。
【００２８】
他の基地局装置１００−２における識別情報は、例えば、基地局装置１００−１における各セクタを識別する識別情報へと変更される。このような変更により、他の装置６００や基地局装置１００−１では、端末装置２００が基地局装置１００−１内のセクタをハンドオーバするものとみなすことができる。この場合、基地局装置１００−１は、制御シグナリングをハンドオーバの際に他の装置６００との間で交換しなくてもよい。
【００２９】
基地局装置１００−１は制御シグナリングを他の装置６００との間で交換しなくてもよいため、有線区間における制御信号数の増加を抑制できる。また、制御信号数の増加を抑制することで、有線区間における他の装置６００や基地局装置１００−１，１００−２は処理の増大も抑制できる。
【００３０】
［第２の実施の形態］
次に第２の実施の形態について説明する。
【００３１】
＜通信システムの構成例＞
図２は通信システム１０の構成例を表す図である。通信システム１０は、マクロセル基地局（以下、マクロ基地局と称する場合がある）１００−１、ピコセル基地局（以下、ピコ基地局と称する場合がある）１００−２、及び端末装置（以下、端末と称する場合がある）２００を備える。また、通信システム１０は、ＭＭＥ（Mobility Management Entity）３００、及びＳ−ＧＷ（Serving-Gate Way）４００を備える。ＥＰＣ（Evolved Packet Core）５００は、ＭＭＥ３００とＳ−ＧＷ４００を含む。
【００３２】
マクロ基地局１００−１は、サービスエリア１００−Ｍを形成している。サービスエリア１００−Ｍは、例えば、マクロ基地局１００−１における通信可能範囲を示している。マクロ基地局１００−１は、サービスエリア１００−Ｍ内に在圏する端末２００と無線通信を行い、端末２００に対して、通話サービスやＷｅｂページの閲覧サービスなど様々なサービスを提供する。図２の例では、サービスエリア１００−Ｍ内に端末２００が位置している例を表している。
【００３３】
ピコ基地局１００−２は、サービスエリア１００−Ｐを形成している。サービスエリア１００−Ｐは、例えば、ピコ基地局１００−１における通信可能範囲を示している。ピコ基地局１００−２は、サービスエリア１００−Ｐ内に在圏する端末２００と無線通信を行い、端末２００に対して通話サービスなど様々なサービスを提供する。
【００３４】
ピコ基地局１００−２のサービスエリア１００−Ｐは、マクロ基地局１００−２のサービスエリア１００−Ｍよりその範囲は狭く、サービスエリア１００−Ｐはサービスエリア１００−Ｍ内に階層的に配置されている。このようにサービスエリア１００−Ｍ，１００−Ｐが階層的に配置された通信システム１０を、例えば、Ｈｅｔｎｅｔと称する場合がある。
【００３５】
なお、マクロ基地局１００−１のサービスエリア１００−Ｍをマクロセル１００−Ｍと称する場合がある。又は、マクロ基地局１００−１とそのサービスエリア１００−Ｍをまとめてマクロセル１００−１と称する場合がある。
【００３６】
また、ピコ基地局１００−２のサービスエリア１００−Ｐをピコセル１００−Ｐと称する場合がある。又は、ピコ基地局１００−２とそのサービスエリア１００−Ｐをまとめてピコセル１００−２と称する場合がある。さらに、基地局１００−１，１００−２を、例えば、セル１００−１，１００−２と称する場合もある。
【００３７】
マクロ基地局１００−１とピコ基地局１００−２は、Ｘ２インタフェースにより、ユーザデータや制御メッセージなどを交換することができる。
【００３８】
端末２００は、例えば、スマートフォン、フィーチャーフォン、タブレットなどの携帯型の移動端末や、パーソナルコンピュータなどである。端末２００は、マクロセル１００−Ｍにおいてマクロ基地局１００−１と無線通信を行い、マクロ基地局１００−１から様々なサービスの提供を受ける。また、端末２００は、ピコセル１００−Ｐにおいてピコ基地局１００−２と無線通信を行い、ピコ基地局１００−２から様々なサービスの提供を受ける。
【００３９】
ＭＭＥ３００は、例えば、端末２００の位置管理や、２つの基地局１００−１，１００−２と端末２００との間の制御信号（Ｃ−Ｐｌａｎｅ（Control-Plane））に対する処理などを行う。
【００４０】
Ｓ−ＧＷ４００は、例えば、端末２００と上位装置との間で交換されるユーザデータ（Ｕ−Ｐｌａｎｅ（User-Plane））を中継したり、ユーザデータに対する経路を決定するなどの処理を行う。
【００４１】
なお、２つの基地局１００−１，１００−２とＭＭＥ３００はＳ１インタフェースにより制御メッセージなどを交換し、２つの基地局１００−１，１００−２とＳ−ＧＷ４００もＳ１インタフェースによりユーザデータなどを交換する。
【００４２】
図３は、通信システム１０の構成例を表している。図３の例では、複数のマクロ基地局１００−１１〜１００−１３がＥＰＣ５００と接続されている通信システム１０の構成例を表している。また、図３では、各マクロセル１００−１２Ｍ〜１００−１３Ｍには、複数のピコ基地局１００−２１〜１００−２８が配置される例を表している。
【００４３】
図３に示すように、通信システム１０においては、複数のマクロ基地局１００−１１〜１００−１３と複数のピコ基地局１００−２１〜１００−２８を備えてもよい。
【００４４】
＜基地局の構成例＞
次に基地局１００−１，１００−２の構成例を説明する。マクロ基地局１００−１とピコ基地局１００−２はいずれも同一構成のため、マクロ基地局１００−１とピコ基地局１００−２とをまとめて基地局１００として説明する。
【００４５】
図４は基地局１００の構成例を表している。基地局１００は、アンテナ１０１、無線部１１０、及び制御・ベースバンド部１２０を備える。
【００４６】
アンテナ１０１は、無線部１１０から出力された無線信号を端末２００へ送信する。また、アンテナ１０１は、端末２００から送信された無線信号を受信し、受信した無線信号を無線部１１０へ出力する。
【００４７】
無線部１１０は、変復調部１１１、送信部１１２、ＰＡ（Power Amp）１１３、ＤＵＰ（Duplexer）１１４、ＬＮＡ（Low Noise Amp）１１５、及び受信部１１６を備える。
【００４８】
変復調部１１１は、制御・ベースバンド部１２０から出力されたベースバンド信号に対して、変調処理を施して、変調後のベースバンド信号を送信部１１２へ出力する。また、変復調部１１１は、受信部１１６から出力されたベースバンド信号に対して復調処理を施して、復調後のベースバンド信号を、制御・ベースバンド部１２０へ出力する。変調処理や復調処理としては、例えば、ＱＰＳＫ（Quadrature Phase Shift Keying）や１６−ＱＡＭ（Quadrature Amplitude Modulation）などがある。
【００４９】
送信部１１２は、変復調部１１１から出力されたベースバンド信号に対して無線帯域の無線信号に変換し、変換後の無線信号をＰＡ１１３へ出力する。送信部１１２には、例えば、周波数変換回路やＬＰＦ（Low Pass Filter）などを備えてもよい。
【００５０】
ＰＡ１１３は、増幅器であって、送信部１１２から出力された無線信号を増幅してＤＵＰ１１４へ出力する。
【００５１】
ＤＵＰ１１４は、ＰＡ１１３から出力された無線信号をアンテナ１０１へ出力し、アンテナ１０１から受け取った無線信号をＬＮＡ１１５へ出力する。
【００５２】
ＬＮＡ１１５は、低雑音増幅器であって、ＤＵＰ１１４から受け取った無線信号を増幅する。
【００５３】
受信部１１６は、ＬＮＡ１１５から出力された無線信号をベースバンド帯域のベースバンド信号へ変換し、変換後のベースバンド信号を変復調部１１１へ出力する。受信部１１６も、例えば、周波数変換回路などを備えるようにしてもよい。
【００５４】
制御・ベースバンド部１２０は、インタフェース部１２１、制御部１２２、ベースバンド部１２３、電源部１２４、及びタイミング制御部１２５を備える。
【００５５】
インタフェース部１２１は、制御部１２２から受け取った制御信号やユーザデータを、Ｘ２インタフェースやＳ１インタフェースのパケットデータに変換して、他の基地局やＭＭＥ３００、Ｓ−ＧＷ４００へ出力する。また、インタフェース部１２１は、他の基地局やＭＭＥ３００、Ｓ−ＧＷ４００からパケットデータを受け取って、パケットデータから制御信号やユーザデータを抽出し、制御部１２２へ出力する。
【００５６】
制御部１２２は、インタフェース部１２１から受け取ったユーザデータをベースバンド部１２３へ出力したり、ベースバンド部１２３から受け取ったユーザデータをインタフェース部１２１へ出力する。また、制御部１２２は、インタフェース部１２１から受け取った制御信号を終端したり、新たに制御信号を生成してベースバンド部１２３やインタフェース部１２１へ出力する。
【００５７】
例えば、制御部１２２は、端末２００との無線通信を行う際に無線リソースの割り当てや、変調方式などを決定し、これらのスケジューリング結果を含む制御信号を生成して、ベースバンド部１２３などを介して端末２００へ送信する。この制御信号に基づいて、端末２００は基地局１００と無線通信を行い、基地局１００も自身で決定したスケジューリング結果に従って端末２００と無線通信を行う。
【００５８】
ベースバンド部１２３は、制御部１２２からユーザデータや制御信号を受け取り、ユーザデータなどに対して誤り訂正符号化処理などを施して、ベースバンド信号として無線部１１０へ出力する。また、ベースバンド部１２３は、無線部１１０から受け取ったベースバンド信号に対して、誤り訂正復号化処理などを施して、ユーザデータや制御信号などを抽出し、抽出したユーザデータや制御信号などを制御部１２２へ出力する。
【００５９】
電源部１２４は、制御部１２２の制御により、基地局１００の電源をオンにしたり、オフにする。また、タイミング制御部１２５は、制御部１２２からインタフェース部１２１やベースバンド部１２３へユーザデータなどを出力するタイミングを制御する。これにより、例えば、無線信号やパケットデータなどが基地局１００から端末２００へ、基地局１００から他の基地局やＭＭＥ３００、Ｓ−ＧＷ４００へ所定のタイミングで出力される。
【００６０】
メモリ１２６は、マクロ基地局１００−１やピコ基地局１００−２の属性情報と属性変更テーブルを記憶する。属性情報と属性変更テーブルの詳細は後述する。制御部１２２は、メモリ１２６に記憶された属性情報や属性変更テーブルを適宜参照して処理を行うことができる。処理の詳細は後述する。
【００６１】
＜動作例＞
次に、本第２の実施の形態における動作例について説明する。動作例については以下の順番で説明する。
【００６２】
１．全体シーケンス例
２．基地局における処理の例
３．ケーススタディ
＜１．全体シーケンス例＞では、通信システム１０で行われる全体の動作例を説明する。動作例としては、図２に示すように、端末２００がマクロ基地局１００−１からピコ基地局１００−２へハンドオーバする例で説明する。
【００６３】
＜２．基地局における処理の例＞では、マクロ基地局１００−１における動作例について説明する。この場合も、図２に示すように、端末２００がマクロ基地局１００−１からピコ基地局１００−２へハンドオーバする例で説明する。
【００６４】
最後に、＜３．ケーススタディ＞において、端末２００がマクロ基地局１００−１からピコ基地局１００−２へハンドオーバする以外にも、ピコ基地局１００−２からマクロ基地局１００−１へハンドオーバするなどの例について説明する。
【００６５】
＜１．全体シーケンス例＞
図５は通信システム１０全体のシーケンス例を表している。端末２００は、マクロ基地局１００−１のサービスエリア１００−Ｍに在圏し、マクロ基地局１００−１と無線通信を行い、ユーザデータなどを交換する（Ｓ１０）。また、マクロ基地局１００−１はＳ−ＧＷ４００と通信を行い、ユーザデータなどを交換する（Ｓ１１）。
【００６６】
端末２００は、マクロ基地局１００−１やピコ基地局１００−２に対する無線区間の通信品質を測定し、測定結果を含むＭｅｓｕｒｅｍｅｎｔ  Ｒｅｐｏｒｔ  Ｍｅｓｓａｇｅ（以下では、ＭＲＭと称する場合がある）をマクロ基地局１００−１へ送信する（Ｓ１２）。
【００６７】
次に、マクロ基地局１００−１は、ＭＲＭに含まれる通信品質がハンドオーバ条件を満たす場合、自局１００−１からピコ基地局１００−２へハンドオーバすることを決定する（Ｓ１３）。例えば、制御部１２２がベースバンド部１２３などを介してＭＲＭを受け取り、ＭＲＭに含まれる通信品質に関して、マクロ基地局１００−１の通信品質が閾値以下であって、ピコ基地局１００−２の通信品質が閾値以上のとき、ピコ基地局１００−２へハンドオーバを行うことを決定する。
【００６８】
次に、マクロ基地局１００−１は、ハンドオーバ先となるピコ基地局１００−２へ、ハンドオーバ要求を送信する（Ｓ１４）。例えば、制御部１２２は、端末２００についてピコ基地局１００−２へハンドオーバすることを決定するとハンドオーバ要求を生成し、インタフェース部１２１を介してピコ基地局１００−２へハンドオーバ要求を送信する。
【００６９】
次に、マクロ基地局１００−１は、端末２００に対して、ピコ基地局１００−２へハンドオーバすることを指示するＨＯ（Hand Over）指示を送信する（Ｓ１５）。例えば、制御部１２２は、ＨＯ指示を示す制御信号を生成し、ベースバンド部１２３などを介して、ＨＯ指示を示す制御信号を端末２００へ向けて送信する。
【００７０】
次に、マクロ基地局１００−１は、端末２００宛の未送信のユーザデータをピコ基地局１００−２へ転送（又はフォワーディング）し、端末２００に関する端末情報もピコ基地局１００−２へ転送（又はフォワーディング）する（Ｓ１６）。例えば、以下のような処理が行われる。すなわち、制御部１２２は、ＡＣＫ信号を端末２００から受け取っていないユーザデータをフォワーディング対象のユーザデータとして決定し、インタフェース部１２１を介してピコ基地局１００−２へ当該ユーザデータを送信する。また、制御部１２２は、メモリ１２６に保持した端末情報を読み出して、インタフェース部１２１を介してピコ基地局１００−２へ送信する。
【００７１】
Ｓ１８からＳ２１までの処理は、例えば、端末２００のハンドオーバによって、ＥＰＣ５００において行われるパス切替など処理である。本第２の実施の形態では、Ｓ１８からＳ２３までの処理は行われない。これは、マクロ基地局１００−１において、属性変更テーブルに基づいて、ハンドオーバ先となるピコ基地局１００−２の属性情報を、ピコ基地局から、マクロ基地局１００−１内の仮想的なセクタとみなす変更をする。この変更により、マクロ基地局１００−１は、ハンドオーバ先の基地局はピコ基地局１００−２ではなく、マクロ基地局１００−１内の仮想的なセクタとなって、ハンドオーバの際にＭＭＥ３００へ制御信号を送信しなくてもよくなる。処理の詳細は、＜２．基地局における処理の例＞で説明する。
【００７２】
また、マクロ基地局１００−１やピコ基地局１００−２ではループ設定を行うことで、例えば、Ｓ−ＧＷ４００からマクロ基地局１００−１とピコ基地局１００−２を経由して端末２００へ至る経路が設定される（Ｓ３０〜Ｓ３２）。ループ設定により設定された経路で、ユーザデータなどが交換される。処理の詳細は、＜２．基地局における処理の例＞において説明する。
【００７３】
＜２．基地局における処理の例＞
次に、基地局１００における処理の例を説明する。図６は基地局１００における処理の例を表している。図６について、基地局１００としてマクロ基地局１００−１を例にして説明する。
【００７４】
マクロ基地局１００−１は、ＭＲＭを受信すると処理を開始する（Ｓ４０）。
【００７５】
次に、マクロ基地局１００−１は、ＰＣＩ（Physical Cell Identification）を確認し、ハンドオーバ先のセルが自局１００−１内に配置されたピコセル１００−２か否かを判別する（Ｓ４１）。
【００７６】
図７（Ａ）はメモリ１２６に記憶された属性情報テーブル１２６１の例を表す図である。属性情報テーブル１２６１には、マクロ基地局１００−１とピコ基地局１００−２の属性情報が記憶される。属性情報には、例えば、各基地局１００−１，１００−２についてのＰＣＩとＥ−ＣＧＩ（E-UTRAN Cell Global Identification）が含まれる。例えば、ＰＣＩは無線区間で基地局１００を識別するために用いられ、Ｅ−ＣＧＩは有線区間で基地局１００を識別するために用いられる。
【００７７】
ＰＣＩは、例えば、各基地局（又は各セル）１００を識別する識別情報である。図７（Ａ）の例では、マクロセル＃１（例えばマクロ基地局１００−１）のＰＣＩは「００１」、ピコセル＃１（例えばピコ基地局１００−２）のＰＣＩは「４０１」となっている。図７（Ｂ）にもＰＣＩが示されているが、各基地局１００でユニークなＰＣＩが付されている。
【００７８】
このＰＣＩは、例えば、ＭＲＭに含まれる。端末２００と基地局１００ではＰＣＩを利用して各基地局を識別している。
【００７９】
一方、Ｅ−ＣＧＩは、例えば、基地局（又はセル）１００を識別する識別情報であって、マクロ基地局１００−１がＥＰＣ５００との間（又は有線区間）で基地局１００の識別情報を交換するときに用いられる。Ｅ−ＣＧＩは、例えば、ｅＮＢ  ＩＤ（evolved Node B Identification）とＣｅｌｌ  ＩＤを含む。
【００８０】
図８は、ｅＮＢ  ＩＤとＣｅｌｌ  ＩＤとの関係例を表す図である。ｅＮＢ  ＩＤは、例えば、基地局（又はセル）１００を識別する識別情報であり、複数桁の数字により表される。図８の例では、マクロセル＃１（例えばマクロ基地局１００−１）のｅＮＢ  ＩＤは「ｍｍｍｍｍ・・・ｍｍ」となっている。
【００８１】
Ｃｅｌｌ  ＩＤは、例えば、基地局１００において複数のセクタがある場合、各セクタを識別する識別情報である。セクタは、例えば、サービスエリア１００−Ｍを、基地局１００−１の各アンテナ１０１−１〜１０１−３により分割された各サービスエリアのことである。図８の例では、サービスエリア１００−Ｍが３つのセクタ＃１−１〜＃１−３に分割されている例を表している。この場合、セクタ＃１−１にはＣｅｌｌ  ＩＤ「００・・・０１」、セクタ＃１−２にはＣｅｌｌ  ＩＤ「００・・・０２」、セクタ＃１−３にはＣｅｌｌ  ＩＤ「００・・・０３」がそれぞれ割り当てられている。
【００８２】
なお、図７（Ａ）にもＣｅｌｌ  ＩＤが示されているが、マクロセル＃１とピコセル＃１〜＃３は、例えば、いずれも複数のセクタを有していないため、全て共通の「００・・・００」となっている。
【００８３】
例えば、Ｅ−ＣＧＩの下８ケタの数字がＣｅｌｌ  ＩＤを表している。
【００８４】
図６に戻り、本処理（Ｓ４１）では、例えば、以下の処理が行われる。すなわち、制御部１２２は、ベースバンド部１２３からＭＲＭを受け取り、ＭＲＭからハンドオーバ先の基地局１００−２のＰＣＩを抽出する。制御部１２２は、属性情報テーブル１２６１を参照し、ハンドオーバ先の基地局１００−２のＰＣＩがマクロセル１００−１配下のピコセル１００−２のＰＣＩであるか否かを判別する。
【００８５】
例えば、図７（Ａ）の例では、ＭＲＭに含まれるハンドオーバ先の基地局１００−２のＰＣＩが「４０１」であれば、制御部１２２は、マクロセル＃１内のピコセル＃１であると判別する。他方、ＭＲＭに含まれるハンドオーバ先の基地局１００−２のＰＣＩが「４０１」から「４０３」のいずれでもない場合、制御部１２２は、マクロ基地局１００−１配下のピコ基地局１００−２ではない（又はＨｅｔＮｅｔ環境ではない）と判別する。
【００８６】
マクロ基地局１００−１は、ハンドオーバ先の基地局が自局配下のピコ基地局であると判別したとき（Ｓ４１でＹｅｓ）、ピコセル１００−２の属性を変更する（Ｓ４２）。
【００８７】
図７（Ｂ）は属性変更テーブル１２６２の例を表している。属性変更テーブル１２６２には、各基地局に対して、ＰＣＩとＥ−ＣＧＩ、及びＥ−ＣＧＩ’の各情報が記憶される。
【００８８】
Ｅ−ＣＧＩ’は、ピコ基地局１００−２のＥ−ＣＧＩを、ピコ基地局１００−２としてのＥ−ＣＧＩからマクロ基地局１００−１内の仮想的なセクタへと変更した場合の変更後のＥ−ＣＧＩを表している。
【００８９】
図７（Ｂ）の例で、Ｅ−ＣＧＩとＥ−ＣＧＩ’とを比較すると、ピコセル＃１のｅＮＢ  ＩＤは、ピコセル＃１のｅＮＢ  ＩＤ「ｘｘｘ・・・ｘｘ」から、マクロセル＃１のｅＮＢ  ＩＤ「ｍｍｍ・・・ｍｍ」へ変更されている。また、ピコセル＃１のＣｅｌｌ  ＩＤは「００・・００」から「００・・・０１」へ変更されている。結果として、ピコセル＃１のＥ−ＣＧＩは「ｘｘｘ・・・ｘｘ００・・００」から、Ｅ−ＣＧＩ’「ｍｍｍ・・・ｍｍ００・・・０１」へ変更されている。また、ピコセル＃２のＥ−ＣＧＩは「ｙｙｙ・・・ｙｙ００・・００」から、Ｅ−ＣＧＩ「ｍｍｍ・・・ｍｍ００・・・０１」へと変更される。
【００９０】
図９（Ａ）及び図９（Ｂ）はＥ−ＣＧＩとＥ−ＣＧＩ’との関係例を表している。このうち、図９（Ａ）はＥ−ＣＧＩ、図９（Ｂ）はＥ−ＣＧＩ’の例をそれぞれ表している。ここで、ピコセル＃１のＥ−ＣＧＩ’である「ｍｍｍ・・・ｍｍ００・・・０１」の意味について考える。
【００９１】
ピコセル＃１のＥ−ＣＧＩ’のうち「００・・・０１」の部分は、例えば、ｅＮＢ  ＩＤとして「ｍｍｍ・・・ｍｍ」を有するマクロセル内におけるセクタ（例えばセクタ＃１）の識別情報を表している。同様に、ピコセル＃２のＥ−ＣＧＩ’のうち「００・・・０２」の部分は、例えば、ｅＮＢ  ＩＤとして「ｍｍｍ・・・ｍｍ」を有するマクロセル内におけるセクタ（例えばセクタ＃２）の識別情報を表している。さらに、ピコセル＃３のＥ−ＣＧＩ’のうち「００・・・０３」の部分は、例えば、ｅＮＢ  ＩＤ「ｍｍｍ・・・ｍｍ」を有するマクロセル内におけるセクタ（例えばセクタ＃３）の識別情報を表している。
【００９２】
つまり、「ｍｍｍ・・・ｍｍ００・・０１」は、ピコ基地局１００−２の識別情報ではなく、マクロ基地局１００−１内の仮想的なセクタの識別情報を表していると言える。また、「ｍｍｍ・・・ｍｍ００・・０２」もピコ基地局の識別情報ではなく、マクロ基地局１００−１内の仮想的なセクタの識別情報を表していると言える。
【００９３】
端末２００がマクロ基地局１００−１からピコ基地局１００−２へとハンドオーバとした場合、Ｅ−ＣＧＩの関係では、「ｍｍｍ・・・ｍｍ００・・００」から「ｘｘｘ・・・ｘｘ００・・００」へ端末２００が移動したものとなる。一方、Ｅ−ＣＧＩ’の関係では、「ｍｍｍ・・・ｍｍ００・・００」から「ｍｍｍ・・ｍｍ００・・０１」へ端末２００が移動したものとなる。
【００９４】
Ｅ−ＣＧＩの関係では、端末２００はマクロ基地局１００−１からピコ基地局へハンドオーバしたものとなるが、Ｅ−ＣＧＩ’の関係では、端末２００はマクロ基地局１００−１内のあるセクタから他のセクタへ移動したものとなる。
【００９５】
この場合、端末２００は同一マクロ基地局１００−１内のセクタ間を移動するものとみなすことができ、マクロ基地局１００−１は、ＥＰＣ５００に対してハンドオーバに関する通知を報告しなくてもよくなる。
【００９６】
これにより、例えば、図５のＳ１８からＳ２３示すような処理、すなわち、マクロ基地局１００−１はハンドオーバに際して有線ネットワーク側に対してメッセージなどを送信したり、有線ネットワーク側からメッセージを受信する処理を行わなくてもよくなる。
【００９７】
従って、本通信システム１０では、マクロ基地局１００−１は、有線ネットワーク側とメッセージの交換を行なわなくてもよくなるため、例えば、有線ネットワーク内の各装置１００−１，１００−２，３００，４００で交換される制御信号数の増大も抑制できる。また、本通信システム１０においては、制御信号の増大を抑制できるため、例えば、有線ネットワーク内の各装置３００，４００における処理負荷の増大を抑制することができる。
【００９８】
本処理（図６のＳ４２）では、例えば、以下のような処理が行われる。すなわち、マクロ基地局１００−１の制御部１２２では、属性変更テーブル１２６２を参照して、ハンドオーバ先のピコ基地局１００−２のＰＣＩに対応するＥ−ＣＧＩ’を読み出すことで、属性情報をＥ−ＣＧＩからＥ−ＣＧＩ’へ変更することができる。制御部１２２では、Ｅ−ＣＧＩ’に基づいてマクロ基地局１００−１内のセクタ間のハンドオーバであると認識し、ＥＰＣ５００へメッセージを送信することなく、次の処理へ移行する。
【００９９】
図６に戻り、次に、マクロ基地局１００−１は、ループ処理を設定する（Ｓ４３）。
【０１００】
図１０は、ループ処理設定後のユーザデータの経路例を表している。マクロ基地局１００−１では、ハンドオーバに関するメッセージをＭＭＥ３００やＳ−ＧＷ４００へ送信しない。従って、ユーザデータの経路はＭＭＥ３００やＳ−ＧＷ４００などでは変更されないことになる。そのため、マクロ基地局１００−１は、ＥＰＣ５００から受け取った端末２００宛のユーザデータについてはピコ基地局１００−２へ送信するようにマクロ基地局１００−１自身が設定する。また、ピコ基地局１００−２は、ハンドオーバ後の端末２００から受け取ったユーザデータをマクロ基地局１００−１へ送信するように、マクロ基地局１００−１主導で設定する。
【０１０１】
このようなループ設定は、例えば、以下のようして行われる。マクロ基地局１００−１の制御部１２２は、Ｅ−ＣＧＩ’を読み出すと、端末２００宛のユーザデータは、ベースバンド部１２３へ出力するのではなく、マクロ基地局１００−１へ送信するよう経路情報を生成してメモリ１２６へ記憶する。また、制御部１２２は、ハンドオーバ先となるピコ基地局１００−２に対して、端末２００から受信したユーザデータは自局（マクロ基地局１００−１）へ送信するよう依頼メッセージを生成し、Ｘ２インタフェースを利用してピコ基地局１００−２へ送信する。ピコ基地局１００−２の制御部１２２では、インタフェース部１２１を介して依頼メッセージを受け取ると、送信元が端末２００であるユーザデータはマクロ基地局１００−１へ送信するとする経路情報を生成してメモリ１２６へ記憶する。
【０１０２】
以後、マクロ基地局１００−１では、経路情報に従って、端末２００宛のユーザデータをピコ基地局１００−２へ送信する。この場合、ピコ基地局１００−２は端末２００宛のユーザデータを端末２００に向けて送信する。
【０１０３】
また、ピコ基地局１００−２では、経路情報に従って、送信元が端末２００であるユーザデータをマクロ基地局１００−１へ送信する。この場合、マクロ基地局１００−１は当該ユーザデータをＥＰＣ５００へ向けて送信する。
【０１０４】
図６に戻り、次に、マクロ基地局１００−１は、無線区間におけるハンドオーバ処理を行う（Ｓ４４）。
【０１０５】
そして、マクロ基地局１００−１は一連の処理を終了する（Ｓ４５）。
【０１０６】
一方、マクロ基地局１００−１は、ハンドオーバ先の基地局が自局配下のピコ基地局１００−２ではないとき（Ｓ４１でＮｏ）、通常のハンドオーバ処理を行う（Ｓ４６）。通常のハンドオーバ処理とは、例えば、図５におけるパス切替要求（Ｓ１８）、パス切替（Ｓ２０，Ｓ２１）、ユーザデータなどの中継（Ｓ２２，Ｓ２３）などの各種処理のことである。
【０１０７】
そして、マクロ基地局１００−１は、一連の処理を終了する（Ｓ４５）。
【０１０８】
図１１（Ａ）及び図１１（Ｂ）は２つのモードの相違についてまとめたものである。図１１（Ａ）はハンドオーバ処理の際、図１１（Ｂ）はハンドオーバ処理後における２つのモードの相違を表している。
【０１０９】
「通常モード」（又は第１のモード）は、例えば、端末２００がマクロ基地局１００−１からピコ基地局１００−２へ移動することがなく、ピコ基地局１００−２の属性変更が行われないモードである。例えば、端末２００があるマクロセル＃１から他のマクロセル＃２へハンドオーバした場合などである。
【０１１０】
一方、「マクロ配下モード」（又は第２のモード）は、例えば、端末２００がマクロ基地局１００−１からピコ基地局１００−２へ移動し、ピコ基地局１００−２の属性変更が行われるモードである。
【０１１１】
例えば、マクロ基地局１００−１は、端末２００がマクロ基地局１００−１からピコ基地局１００−２へハンドオーバすることを決定したとき（例えば図５のＳ１３）、「通常モード」から「マクロ配下モード」へ移行する。
【０１１２】
図１１（Ａ）に示すように、ハンドオーバ処理の際、「通常モード」では、無線区間においては接続元と接続先のＰＣＩが用いられる。例えば、あるマクロセル＃１から他のマクロセル＃２へ端末２００がハンドオーバした場合、無線区間においては、マクロセル＃１のＰＣＩ＃１と、マクロセル＃２のＰＣＩ＃２が用いられる。
【０１１３】
一方、無線区間において、「マクロ配下モード」では、「通常モード」と同様に、接続元と接続先のＰＣＩが用いられる。例えば、端末２００がマクロ基地局１００−１からピコ基地局１００−２へハンドオーバした場合、マクロ基地局１００−１のＰＣＩ＃１’とピコ基地局１００−２のＰＣＩ＃２’が用いられる。
【０１１４】
有線区間において、「通常モード」では、接続先セルのＥ−ＣＧＩが用いられる。例えば、あるマクロセル＃１から他のマクロセル＃２へ端末２００がハンドオーバした場合、マクロセル＃２は、マクロセル＃２のＥ−ＣＧＩ＃２を利用して、パス切替要求をＭＭＥ３００へ送信する。
【０１１５】
一方、有線区間において、「マクロ配下モード」では、Ｅ−ＣＧＩの属性が変更され、ＭＭＥ３００などには制御信号が送信されない。例えば、端末２００がマクロ基地局１００−１からピコ基地局１００−２へハンドオーバした場合、マクロ基地局１００−１は、ピコ基地局１００−２のＥ−ＣＧＩの属性を変更し、制御信号をＭＭＥ３００へ送信しない。
【０１１６】
他方、図１１（Ｂ）に示すように、ハンドオーバ処理後において、「通常モード」では、無線区間の同期処理ではＰＣＩが用いられ、無線区間のリソース管理ではＣ−ＲＮＴＩが用いられる。例えば、端末２００があるマクロセル＃１から他のマクロセル＃２へハンドオーバした場合、端末２００はマクロセル＃２のＰＣＩ＃２を用いて同期処理を行い、マクロセル＃２はＣ−ＲＮＴＩ（Cell Radio Network Temporary Identifier）を利用して端末２００に対して無線リソースを割り当てる。
【０１１７】
「マクロ配下モード」でも同様に、無線区間の同期処理ではＰＣＩ、無線リソース管理はＣ−ＲＮＴＩが用いられる。例えば、マクロ基地局１００−１からピコ基地局１００−２へ端末２００がハンドオーバした場合、端末２００はピコ基地局１００−２のＰＣＩ＃２’を用いて同期処理を行い、ピコ基地局１００−２はＣ−ＲＮＴＩを利用して端末２００に対して無線リソースを割り当てる。
【０１１８】
有線区間について、「通常モード」では、接続先セルのＥ−ＣＧＩが用いられる。例えば、端末２００がマクロセル＃１からマクロセル＃２へ移動した場合、マクロセル＃２は自セルのＥ−ＣＧＩ＃２を利用して、ユーザデータをＳ−ＧＷ４００へ送信する。
【０１１９】
有線区間について、「マクロ配下モード」では、属性変更後のＥ−ＣＧＩ’が用いられる。例えば、ピコ基地局１００−２は、マクロ基地局１００−１から受け取ったＥ−ＣＧＩ’を利用して、マクロ基地局１００−１を経由してユーザデータをＳ−ＧＷ４００へ送信する。
【０１２０】
＜３．ケーススタディ＞
次に、端末２００がハンドオーバするパターンに応じた様々なケーススタディについて説明する。端末２００がハンドオーバするパターンとしては、例えば、
３．１  端末がマクロセルからピコセルへ移動する場合の例
３．２  端末がピコセルからマクロセルへ移動する場合の例
３．３  マクロセルからピコセルへ移動した端末がマクロセルへ移動する場合の例
３．４  マクロセルからピコセルへ移動した端末が同一マクロセル配下の隣接ピコセル＃１へ移動する場合の例
３．５  ３．４に対して更に同一マクロセル配下の隣接ピコセル＃２へ移動する場合の例
３．６  ３．４で隣接ピコセル＃１へ移動した端末が移動元のピコセルへ移動する場合の例
がある。
【０１２１】
図１２は上記６つのパターンを含む全体処理の例を示すフローチャートである。図１２のフローチャートは、例えば、マクロ基地局１００−１とピコ基地局１００−２で主に行われる処理を表している。
【０１２２】
図１２に示すように、基地局１００−１，１００−２は処理を開始すると（Ｓ５０）、端末２００についてハンドオーバを行うことを決定する（Ｓ５１）。
【０１２３】
基地局１００−１，１００−２は、ハンドオーバを行うことを決定すると（Ｓ５１でＹｅｓ）、自局がＨｅｔｎｅｔ構成であるか否かを確認する（Ｓ５２）。例えば、基地局１００−１，１００−２は属性情報テーブル１２６１に基づいて自局がＨｅｔｎｅｔ構成であるか否かを確認する。
【０１２４】
基地局１００−１，１００−２は、自局がＨｅｔｎｅｔ構成であることを確認したとき（Ｓ５２でＹｅｓ）、端末間既存パスを開放する（Ｓ５３）。例えば、基地局１００−１，１００−２は、端末２００に対する無線リソースの割り当てを停止するなどにより、端末間既存パスを開放する。
【０１２５】
次に、基地局１００−１，１００−２は局属性識別子に基づいて、自局がマクロ基地局１００−１かピコ基地局１００−２かを判別する（Ｓ５４）。
【０１２６】
例えば、以下のような判別が行われる。すなわち、マクロ基地局１００−１では、属性情報テーブル１２６１に基づいて、自局に割り当てられた局属性識別子（例えばＰＣＩやＥ−ＣＧＩ）からマクロ基地局か否かを判別する。また、マクロ基地局１００−１では、未達パケットの転送に際して（例えば図５のＳ１６）、自局がＨｅｔｎｅｔ構成のマクロ基地局であることと基地局１００−２がＮｅｔｎｅｔ構成のピコ基地局であることを通知する。或いは、この際に、マクロ基地局１００−１は自局のＥ−ＣＧＩと基地局１００−２のＥ−ＣＧＩとを通知してもよい。ピコ基地局１００−２は、当該通知によって、自局がＨｅｔｎｅｔのピコ基地局であることを判別できる。
【０１２７】
局属性識別子がマクロ基地局１００−１の場合（Ｓ５４で「マクロ（親）」）、マクロ基地局１００−１は、ループ設定がＯＮになっているか否か、かつ、ハンドオーバ要求を発信したか否かを判別する（Ｓ５５）。この判別結果に応じて、マクロ基地局１００−１は、（処理Ｂ）、（処理Ｃ）、（処理Ｄ）、又は（処理Ｅ）を行う。
【０１２８】
図１３は判別結果と各処理との対応関係をまとめたものである。図１３において「ループ設定がＯＮか？」は、例えば、図１０に示すように、端末２００からピコ基地局１００−２とマクロ基地局１００−１を経由してＥＰＣ５００へ至る経路が設定されているか否かを表している。
【０１２９】
また、「ＨＯ要求発信か？」は、例えば、マクロ基地局１００−１がハンドオーバ要求（以下、ＨＯ要求と称する場合がある）をピコ基地局１００−２へ送信しているか否かを表している。
【０１３０】
図１３に示すように、ループ設定がＯＦＦで、ＨＯ要求が発信されている場合、マクロ基地局１００−１は（処理Ｂ）を行う。この場合は、例えば、端末２００がマクロ基地局１００−１からピコ基地局１００−２へハンドオーバする場合のマクロ基地局１００−１側の処理の例を表している。
【０１３１】
図１２に示すように、（処理Ｂ）において、マクロ基地局１００−１はループパスを新設し（Ｓ５６）、ループ設定をＯＮにする（Ｓ５７）。これにより、例えば、図１０に示すような経路が設定される。ループ設定のＯＮ又はＯＦＦは、例えば、マクロ基地局１００−１の制御部１２２においてメモリ１２６の所定領域に記憶されたループ設定情報をＯＮ又はＯＦＦにすることで処理が行われる。
【０１３２】
そして、マクロ基地局１００−１は一連の処理を終了する（Ｓ５８）。
【０１３３】
一方、図１３に示すように、ループ設定がＯＮで、ＨＯ要求を発信していない場合（又はＨＯ要求を受信した場合）、マクロ基地局１００−１は（処理Ｃ）を行う。例えば、マクロ基地局１００−１からピコ基地局１００−２へハンドオーバした端末２００がピコ基地局１００−２からマクロ基地局１００−１へハンドオーバする場合のマクロ基地局１００−１側の処理の例を示している（上記（３．３）のパターン）。
【０１３４】
図１２に示すように、（処理Ｃ）において、マクロ基地局１００−１はループパスを開放して、ループパス設定をＯＦＦにする（Ｓ６０，Ｓ６１）。また、端末２００がマクロ基地局１００−１へハンドオーバするため、マクロ基地局１００−１は端末２００との間に端末間パスを新設する（Ｓ６２）。ループパスの開放は、例えば、マクロ基地局１００−１の制御部１２２がメモリ１２６に記憶したループ経路の経路情報を削除するなどにより処理が行われる。
【０１３５】
そして、マクロ基地局１００−１は一連の処理を終了する（Ｓ５８）。
【０１３６】
また、図１３に示すように、ループ設定がＯＦＦで、ＨＯ要求を発信していない場合（又はＨＯ要求を受信した場合）、マクロ基地局１００−１は（処理Ｄ）を行う。例えば、端末２００がピコ基地局１００−２において呼接続し、その後、端末２００がピコ基地局１００−２からマクロ基地局１００−１へハンドオーバした場合のマクロ基地局１００−１側の処理の例を示している（上記（３．２）のパターン）。
【０１３７】
図１２に示すように、（処理Ｄ）において、マクロ基地局１００−１はループパスに対する処理を行うことなく、端末間パスを新設する（Ｓ６２）。例えば、マクロ基地局１００−１は、ピコ基地局１００−２からハンドオーバしてきた端末２００に対して端末間パスを設定する。
【０１３８】
そして、マクロ基地局１００−１は一連の処理を終了する（Ｓ５８）。
【０１３９】
さらに、図１３に示すように、ループ設定がＯＮで、ＨＯ要求について送信も受信もしていない場合、マクロ基地局１００−１は（処理Ｅ）を行う。例えば、マクロ基地局１００−１からピコ基地局１００−２へハンドオーバした端末２００がピコ基地局１００−２に隣接し、同一マクロ基地局１００−１内の他のピコ基地局へハンドオーバした場合のマクロ基地局１００−１側の処理の例を示す（上記（３．４）のパターン）。
【０１４０】
図１２に示すように、（処理Ｅ）において、マクロ基地局１００−１は、ループパスや端末間パスについてとくに処理を行うことなく、一連の処理を終了する（Ｓ５８）。マクロ基地局１００−１は、ピコセル１００−２から隣接ピコセルへのハンドオーバのため、ループ設定の変更などを行うことなく、一連の処理を終了することになる。
【０１４１】
一方、図１２において、局属性識別子がピコ基地局１００−２の場合（Ｓ５４で「ピコ（子）」）、ピコ基地局１００−２は、Ｓ５５と同様に、ループ設定がＯＮになっているか否か、かつ、ハンドオーバ要求を発信したか否かを判別する（Ｓ６５）。この判別結果に応じて、ピコ基地局１００−２は、（処理Ａ）、（処理Ｄ）、（処理Ｂ）、又は（処理Ｆ）を行う。
【０１４２】
図１３はピコ基地局１００−２における判別結果と各処理との対応関係も表している。図１３に示すように、ループ設定がＯＮで、ＨＯ要求が発信されている場合、ピコ基地局１００−２は（処理Ａ）を行う。例えば、マクロ基地局１００−１からピコ基地局１００−２へハンドオーバした端末２００がピコ基地局１００−２からマクロ基地局１００−１へハンドオーバする場合のピコ基地局１００−２側の処理の例を示している（上記（３．３）のパターン）。
【０１４３】
図１２に示すように、（処理Ａ）において、ピコ基地局１００−２は設定したループパスを開放し、ループ設定をＯＦＦにする（Ｓ６６，Ｓ６７）。例えば、ピコ基地局１００−２の制御部１２２は、メモリ１２６に記憶した経路情報を削除し、メモリ１２６の所定領域に記憶したループ設定情報をＯＦＦ又はＯＮにすることで処理が行われる。
【０１４４】
そして、ピコ基地局１００−２は一連の処理を終了する（Ｓ５８）。
【０１４５】
また、図１３に示すように、ループ設定がＯＦＦで、ＨＯ要求が発信されていない場合（又はＨＯ要求を受信した場合）、ピコ基地局１００−２は（処理Ｄ）を行う。例えば、端末２００がマクロ基地局１００−１からピコ基地局１００−２へハンドオーバした場合のピコ基地局１００−２側の処理の例を示している（上記（３．１）のパターン）。
【０１４６】
図１２に示すように、（処理Ｄ）において、ピコ基地局１００−２はループパスを新設し（Ｓ６８）、ループ設定をＯＮする（Ｓ６９）。例えば、マクロ基地局１００−１は設定したループ経路に関する経路情報を未達パケットとともにピコ基地局１００−２へ転送し（例えば図５のＳ１６）、ピコ基地局１００−２の制御部１２２は経路情報をメモリ１２６に記憶することでループパスを新設する。また、ピコ基地局１００−２は、端末２００との間で端末間パスを設定する（Ｓ７０）。例えば、ピコ基地局１００−２では、マクロ基地局１００−１からハンドオーバしてきた端末２００に対して端末間パスを設定する処理を行う。
【０１４７】
そして、ピコ基地局１００−２は一連の処理を終了する（Ｓ５８）。
【０１４８】
さらに、図１３に示すように、ループパスの設定がＯＦＦで、ＨＯ要求を発信した場合、ピコ基地局１００−２は（処理Ｂ）を行う。例えば、端末２００がピコ基地局１００−２に対して発呼して呼接続を行い、その後、端末２００がマクロ基地局１００−１へハンドオーバした場合のピコ基地局１００−２側の処理の例を示している（上記（３．２）のパターン）。
【０１４９】
図１２に示すように、（処理Ｂ）において、ピコ基地局１００−２は、ループパスに対する処理や端末間パスに対する処理を行うことなく、一連の処理を終了する（Ｓ５８）。例えば、端末２００がピコ基地局１００−２からマクロ基地局１００−１へハンドオーバするため、ピコ基地局１００−１側ではとくに処理を行うことなく、一連の処理を終了する。
【０１５０】
さらに、図１３に示すように、ループ設定がＯＦＦで、ＨＯ要求は送信も受信もしていない場合、ピコ基地局１００−２は（処理Ｆ）を行う。例えば、マクロ基地局１００−１からピコ基地局１００−２へハンドオーバし、さらに、ピコ基地局１００−２から隣接ピコ基地局１００−３へハンドオーバした端末２００がさらに他の隣接ピコ基地局１００−４へハンドオーバする場合のピコ基地局１００−２側の例を示す（上記（３．５）のパターン）。
【０１５１】
図１２に示すように、（処理Ｆ）において、ピコ基地局１００−２はループパスに対する処理や端末間パスに対する処理を行うことなく、一連の処理を終了する（Ｓ５８）。
【０１５２】
一方、基地局１００−１，１００−２は、Ｈｅｔｎｅｔ構成ではないと判別した場合（Ｓ５２でＮｏ）、通常のハンドオーバ処理を行う。
【０１５３】
また、基地局１００−１，１００−２は、ハンドオーバを行うことを決定していない場合でも、ＨＯ要求を受信した場合、Ｈｅｔｎｅｔ構成か否かを判別し（Ｓ７１）、Ｈｅｔｎｅｔ構成の場合（Ｓ７１でＹｅｓ）はＳ５４へ移行して上述の処理を行う。一方、基地局１００−１，１００−２は、Ｈｅｔｎｅｔ構成でない場合（Ｓ７１でＮｏ）、通常のハンドオーバ処理を行う。  
【０１５４】
次に上記（３．１）から（３．６）の各パターンについて順次説明する。
【０１５５】
＜３．１  端末がマクロセルからピコセルへ移動する場合の例＞
図１４は端末２００がマクロセル１００−１からピコセル１００−２へ移動（又はハンドオーバ）する場合のシーケンス例を表す図である。図１４に示す処理において、図１２と同一の処理ブロックには同一の符号が付されている。
【０１５６】
端末２００はマクロ基地局１００−１に対して呼接続処理を行い、マクロ基地局１００−１を介して端末２００とＥＰＣ５００との間で経路が設定され、当該経路を利用してユーザデータが転送される（Ｓ８０）。
【０１５７】
その後、マクロ基地局１００−１は、端末２００がピコ基地局１００−２へハンドオーバすることを決定し（Ｓ１２（Ｓ５１））、以降の処理が行われる。  
【０１５８】
図１４において、マクロ基地局１００−１が行う処理（Ｓ５２〜Ｓ５７）は、図１２のＳ５１からＳ５７までの処理（処理Ｂ）に対応している。
【０１５９】
この処理において、マクロ基地局１００−１は、未達パケットや端末情報とともに、局種別情報をピコ基地局１００−２へ転送する（Ｓ１６）。局種別情報は、例えば、上述した局属性識別子であり、基地局１００−１がマクロ基地局であって、基地局１００−２がピコ基地局を示す情報である。
【０１６０】
マクロ基地局１００−１は、局種別がマクロ基地局であり（Ｓ５４でＹＥＳ）、ＨＯ要求を発信し（Ｓ５５０でＹＥＳ）、ループ設定はされていない（Ｓ５５１でＮＯ）ため、ピコ基地局のＥ−ＣＧＩを変更して、ループ設定を行う（Ｓ５６，Ｓ５７）。
【０１６１】
一方、図１４においてピコ基地局１００−２が行う処理（Ｓ７１〜Ｓ７０）は、図１２のＳ７１からＳ７０までの処理（処理Ｄ）に対応している。
【０１６２】
すなわち、ピコ基地局１００−２は、局種別がピコ基地局であり（Ｓ５４でピコ）、ＨＯ要求を受信し（Ｓ６５０でＮＯ）、ループ設定はされていない（Ｓ６５１でＮＯ）ため、マクロ基地局１００−１との間でループ設定を行う（Ｓ６８，Ｓ６９）。また、ピコ基地局１００−２は、マクロ基地局１００−２に対してループ設定に関するパスを設定する（Ｓ８１）。ループパスの設定は、例えば、マクロ基地局１００−１から経路情報を受け取り、経路情報に基づいて設定してもよい。
【０１６３】
以上により、端末２００からピコ基地局１００−２とマクロ基地局１００−１を経由してＥＰ５００との間で経路が設定されて、この経路によりユーザデータが転送される（Ｓ８２）。
【０１６４】
＜３．２  端末がピコセルからマクロセルへ移動する場合の例＞
図１５は、端末２００がピコ基地局１００−２に対して発呼し、その後、端末２００がピコ基地局１００−２からマクロ基地局１００−１へ移動（又はハンドオーバ）する場合のシーケンス例を表す図である。図１５において、図１２と同一の処理ブロックには同一の符号が付されている。
【０１６５】
端末２００がピコ基地局１００−２に対して発呼することで、ピコ基地局１００−２を介して端末２００とＥＰＣ５００との間で経路が設定され、この経路によりユーザデータが転送される（Ｓ８３）。
【０１６６】
その後、ピコ基地局１００−２は端末２００がマクロ基地局１００−１へハンドオーバすることを決定し（Ｓ５１）、ピコ基地局１００−２がＨＯ要求をマクロ基地局１００−１へ通知し（Ｓ１４１）、ＨＯ指示を端末２００へ通知する（Ｓ１５１）。また、ピコ基地局１００−２は、未達パケットなどをマクロ基地局１００−１へ転送する（Ｓ１６１）。
【０１６７】
図１５においてマクロ基地局１００−１が行う処理（Ｓ５２からＳ６２）は、図１２のＳ５１からＳ６２（処理Ｄ）までの処理と対応している。
【０１６８】
すなわち、マクロ基地局１００−１は、局種別がマクロ基地局であり（Ｓ５４でＹＥＳ）、ＨＯ要求を受信し（Ｓ５５０でＮＯ）、ループ設定がなされておらず（Ｓ５５１でＮＯ）、Ｅ−ＣＧＩを変更することもなく、ループ設定も行うこともない。この場合、マクロ基地局１００−１は、ピコ基地局１００−２からハンドオーバしてきた端末２００に対してパスを設定する（Ｓ８４，Ｓ６２）。
【０１６９】
一方、図１５においてピコ基地局１００−２が行う処理（Ｓ５１からＳ６５１）は、図１２のＳ５１からＳ６５、及びＳ５８までの処理（処理Ｂ）に対応している。
【０１７０】
すなわち、ピコ基地局１００−２は、局種別がピコ基地局であり（Ｓ５４でＮＯ）、ＨＯ要求を発信し（Ｓ６５０でＹＥＳ）、ループ設定がなされておらず（Ｓ６５１でＮＯ）、ループ設定などを行うことはしない。
【０１７１】
以上により、マクロ基地局１００−１を介して端末２００とＥＰＣ５００との間に経路が設定され、この経路を利用してユーザデータなどが転送される（Ｓ８５）。
【０１７２】
＜３．３  マクロセルからピコセルへ移動した端末が移動元のマクロセルへ移動する場合の例＞
図１６は、マクロセル１００−１からピコセル１００−２へ移動（ハンドオーバ）した端末２００が移動元のマクロセル１００−１へ移動（ハンドオーバ）する場合のシーケンス例を表している。
【０１７３】
端末２００からピコ基地局１００−２、マクロ基地局１００−１を経由して上位装置との間で、上述したループ経路が設定されている（Ｓ８２）。
【０１７４】
その後、ピコ基地局１００−２においてハンドオーバの決定がなされ（Ｓ５１）、ピコ基地局１００−２はＨＯ要求をマクロ基地局１００−１へ、ＨＯ指示を端末２００へそれぞれ通知する（Ｓ１４１，Ｓ１５１）。また、ピコ基地局１００−２は未達パケットなどをマクロ基地局１００−１へ転送する（Ｓ１６１）。
【０１７５】
図１６においてマクロ基地局１００−１が行う処理（Ｓ５２からＳ６２）は、図１２のＳ５１からＳ６２（処理Ｃ）までの処理と対応している。
【０１７６】
すなわち、マクロ基地局１００−１は、局種別がマクロ基地局であり、ＨＯ要求を受信し（Ｓ５５０でＮＯ）、ループ設定がなされており（Ｓ６５１でＹＥＳ）、ループパスの開放とループ設定をＯＦＦにする（Ｓ６０，Ｓ６１）。この場合、マクロ基地局１００−１はＥＰＣ５００との間でパス設定を行う（Ｓ８６）。
【０１７７】
一方、図１６においてピコ基地局１００−２が行う処理（Ｓ５１からＳ６７）は、図１２のＳ５１からＳ６７までの処理（処理Ａ）に対応する。
【０１７８】
すなわち、ピコ基地局１００−２は、局種別がピコ基地局であり（Ｓ５４でＮＯ）、ＨＯ要求を発信し（Ｓ６５０でＹＥＳ）、ループ設定がＯＮとなっており（Ｓ６５１）、ループパスを開放してループ設定をＯＦＦにする（Ｓ６６、Ｓ６７）。
【０１７９】
以上により、マクロ基地局１００−１を介して端末２００とＥＰＣ５００との間に経路が設定され、当該経路を利用してユーザデータが転送される（Ｓ８７）。
【０１８０】
＜３．４  マクロセルからピコセルへ移動した端末が同一マクロセル配下の隣接ピコセルへ移動する場合の例＞
図１７は、マクロセル１００−１からピコセル１００−２へ移動（ハンドオーバ）した端末２００が同一マクロセル１００−１配下の隣接ピコセル１００−３へ移動（ハンドオーバ）する場合のシーケンス例を表している。
【０１８１】
端末２００からピコ基地局１００−２とマクロ基地局１００−１を経由して上位装置との間で経路が設定されている（Ｓ８２）。
【０１８２】
その後、ピコ基地局１００−２は、端末２００がピコ基地局１００−２から隣接ピコ基地局１００−２へハンドオーバすることを決定し（Ｓ５１）、ＨＯ要求を隣接ピコ基地局１００−３へ通知し（Ｓ１４２）、ＨＯ指示を端末２００へ通知する（Ｓ１５１）。また、ピコ基地局１００−２は、未達パケットなどを隣接ピコ基地局１００−３へ転送する（Ｓ１６２）。
【０１８３】
図１７においてマクロ基地局１００−１が行う処理（Ｓ５２からＳ５５１）は、図１２のＳ５１からＳ５５、及びＳ５０までの処理（処理Ｅ）と対応している。
【０１８４】
すなわち、マクロ基地局１００−１は、局種別がマクロ基地局であり、ＨＯ要求の送信も受信も行わず（Ｓ５５０でＮＯ）、ループ設定がＯＮとなっている（Ｓ５５１でＹＥＳ）。マクロ基地局１００−１では、ループ設定に対する処理などを行うことなく、処理を終了することになる。
【０１８５】
一方、図１７においてピコ基地局１００−２が行う処理（Ｓ７１からＳ６７）は、図１２のＳ５１からＳ６７までの処理（処理Ａ）に対応する。
【０１８６】
すなわち、ピコ基地局１００−２は、局種別がピコ基地局であり（Ｓ５４でＮＯ）、ＨＯ要求を発信し（Ｓ６５０でＹＥＳ）、ループ設定がＯＮとなっており（Ｓ６５１でＹＥＳ）、設定したループを開放し、ループ設定をＯＦＦにする（Ｓ６６，Ｓ６７）。
【０１８７】
さらに、図１７において隣接ピコ基地局１００−３が行う処理（Ｓ７１からＳ７０）は、図１２のＳ７１からＳ７０までの処理（処理Ｄ）に対応する。
【０１８８】
すなわち、隣接ピコ基地局１００−３は、局種別がピコ基地局であり（Ｓ５４でＮＯ）、ＨＯ要求を受信し（Ｓ６５０でＮＯ）、ループ設定はＯＦＦ（Ｓ６５１でＮＯ）となっており、ループパスの設定を行い、ループ設定をＯＮにする（Ｓ６８，Ｓ６９）。この場合、隣接ピコ基地局１００−３は、マクロ基地局１００−１とのパスを設定し（Ｓ８８）、端末２００とのパスも設定する（Ｓ７０）。
【０１８９】
以上により、端末２００から隣接ピコ基地局１００−３とマクロ基地局１００−１を経由してＥＰＣ５００との間に経路が設定され、当該経路を利用してユーザデータが転送される（Ｓ９０）。
【０１９０】
＜３．５  ３．４に対して更に同一マクロセル配下の隣接ピコセル＃２へ移動する場合の例＞
図１８は、マクロセル１００−１からピコセル１００−２へ移動（ハンドオーバ）し、同一マクロセル１００−１内の隣接ピコセル１００−３へさらに移動した端末２００が、さらに、同一マクロセル１００−１内の隣接ピコセル１００−４へ移動する場合のシーケンス例を表す。
【０１９１】
端末２００から隣接ピコ基地局１００−３、マクロ基地局１００−１を介して上位装置との間で経路が設定され、当該経路を利用してユーザデータが転送される（Ｓ９０）。
【０１９２】
その後、隣接ピコ基地局１００−３は、端末２００が隣接ピコ基地局１００−３から隣接ピコ基地局１００−４へハンドオーバすることを決定する（Ｓ５１）。そして、隣接ピコ基地局１００−３は、ＨＯ要求を隣接ピコ基地局１００−４へ通知し（Ｓ１４３）、ＨＯ指示を端末２００へ通知し（Ｓ１５２）、未達パケットなどを隣接ピコ基地局１００−４へ転送する（Ｓ１６３）。
【０１９３】
図１８においてマクロ基地局１００−１が行う処理（Ｓ５２からＳ５５１）は、図１２のＳ５１からＳ５５、及びＳ５０までの処理（処理Ｅ）と対応している。
【０１９４】
また、ピコ基地局１００−２が行う処理（Ｓ７１からＳ６５１）は、図１２のＳ５１からＳ６５、及びＳ５８までの処理（処理Ｆ）に対応する。
【０１９５】
すなわち、ピコ基地局１００−２は、局種別がピコ基地局であり（Ｓ５４でＮＯ）、ＨＯ要求の送信も受信を行わず（Ｓ６５０でＮＯ）、ループ設定はＯＦＦとなっている（Ｓ６５１でＮＯ）。この場合、ピコ基地局１００−２は、ループ設定などに対する処理を行うことなく、一連の処理を終了する。
【０１９６】
さらに、隣接ピコ基地局１００−３が行う処理（Ｓ５１からＳ６７）は、図１２のＳ５１からＳ６７までの処理（処理Ａ）に対応する。隣接ピコ基地局１００−３は、設定されたループパスを開放し、ループ設定をＯＦＦにする（Ｓ６６，Ｓ６７）。
【０１９７】
さらに、隣接ピコ基地局１００−４が行う処理（Ｓ７１からＳ７０）は、図１２のＳ７１からＳ７０までの処理（処理Ｄ）に対応する。隣接ピコ基地局１００−４は、ループパスを設定し、端末２００との間もパスを設定する（Ｓ６８，Ｓ７０）。また、隣接ピコ基地局１００−４は、マクロ基地局１００−１との間でパスを設定する（Ｓ９１）。
【０１９８】
以上により、端末２００から隣接ピコ基地局１００−４、マクロ基地局１００−１を経由して上位装置までの間に経路が設定され、当該経路を利用してユーザデータが転送される（Ｓ９２）。
【０１９９】
＜３．６  ３．４で隣接ピコセルへ移動した端末が移動元のピコセルへ移動する場合の例＞
図１９は、マクロセル１００−１からピコセル１００−２へ移動（ハンドオーバ）し、ピコセル１００−２から同一マクロセル１００−１内の隣接ピコセル１００−３へ移動した端末２００が、ピコセル１００−２へ移動する場合のシーケンス例を表している。
【０２００】
端末２００から隣接ピコ基地局１００−３、マクロ基地局１００−１を経由してＥＰＣ５００との間で経路が設定され、当該経路を利用してユーザデータが転送される（Ｓ９０）。
【０２０１】
その後、隣接ピコ基地局１００−３は、端末２００がピコ基地局１００−２へハンドオーバすることを決定する（Ｓ５１）。隣接ピコ基地局１００−３は、ピコ基地局１００−２へＨＯ要求を通知し（Ｓ１４４）、端末２００へＨＯ指示を通知し（Ｓ１５３）、未達パケットなどをピコ基地局１００−２へ転送する（Ｓ１６４）。
【０２０２】
図１９においてマクロ基地局１００−１が行う処理（Ｓ５２からＳ５５１）は、図１２のＳ５１からＳ５５、及びＳ５０までの処理（処理Ｅ）と対応している。
【０２０３】
一方、ピコ基地局１００−２が行う処理（Ｓ７１からＳ７０）は、図１２のＳ７１からＳ７０までの処理（処理Ｄ）に対応する。ピコ基地局１００−２は、ループパスを設定し（Ｓ６８，Ｓ６９）、端末２００に対してパスを設定する（Ｓ７０）。また、ピコ基地局１００−２は、マクロ基地局１００−１に対してパスを設定する（Ｓ９３）。
【０２０４】
また、隣接ピコ基地局１００−３が行う処理（Ｓ５１からＳ６７）は、図１２のＳ５１からＳ６７までの処理（処理Ａ）に対応する。隣接ピコ基地局１００−３は、ループパスを開放して、ループパスの設定をＯＦＦにする（Ｓ６６，Ｓ６７）。
【０２０５】
以上により、端末２００からピコ基地局１００−２、マクロ基地局１００−１を経由して上位装置までの間に経路が設定され、当該経路を利用してユーザデータが転送される。
【０２０６】
［その他の実施の形態］
図２０は基地局１００のハードウェアの構成例を表す図である。基地局１００は、さらに、ＣＰＵ（Central Processing Unit）１５０、ＲＯＭ（Read Only Memory）１５１、ＲＡＭ（Random Access Memory）１５２、メモリ１５３を備える。
【０２０７】
ＣＰＵ１５０は、ＲＯＭ１５１に記憶されたプログラムを読み出して、ＲＡＭ１５２へロードし、ロードしたプログラムを実行することで、制御部１２２やベースバンド部１２３、タイミング制御部１２５の機能を実現する。ＣＰＵ１５０は、例えば、第２の実施の形態における制御部１２２、ベースバンド部１２３、及びタイミング制御部１２５に対応する。
【０２０８】
また、メモリ１５３は、例えば、属性情報テーブル１２６１や属性変更テーブル１２６２を記憶する。メモリ１５３は、例えば、第２の実施の形態におけるメモリ１２６に対応する。
【０２０９】
なお、ＣＰＵ１５に代えて、ＭＰＵ（Micro Processing Unit）やＦＰＧＡ（Field Programmable Gate Array）などのコントローラでもよい。
【０２１０】
上述した第２の実施の形態において、属性変更テーブル１２６２の例として図７（Ｂ）の例を用いて説明した。図７（Ｂ）においては、ピコセル＃１のＥ−ＣＧＩは、「ｘｘｘ・・・ｘｘ００・・００」であるとして説明した。このＥ−ＣＧＩの例は、Ｃｅｌｌ  ＩＤが「００・・００」となっているため、ピコセル＃１にはセクタを有していない構成の例となっている。
【０２１１】
例えば、ピコセル＃１において２つのセクタが存在する場合、Ｅ−ＣＧＩは「ｘｘｘ・・・ｘｘ００・・０１」と、「ｘｘｘ・・・ｘｘ００・・０２」となる。この場合において、ピコセル＃１の属性変更後の２つのＥ−ＣＧＩ’は、例えば、「ｍｍｍ・・・ｍｍ００・・０１」と「ｍｍｍ・・・ｍｍ００・・０２」となる。また、この場合において、ピコセル＃２については、例えば、「ｙｙｙ・・・００・・００」から「ｍｍｍ・・・ｍｍ００・・０３」へと属性変更される。各ピコセルがセクタ構成となっている場合であっても、属性変更後のＥ−ＣＧＩ’は、マクロ基地局１００−１のｅＮＢ  ＩＤと、順番に番号を割り当てたＣｅｌｌ  ＩＤを含むものとなる。従って、属性変更後の各ピコセルのＥ−ＣＧＩ’は、上述した第２の実施の形態と同様に、マクロ基地局１００−１内の仮想的なセクタへと変更され、マクロ基地局１００−１はハンドオーバの際にＭＭＥ３００などへピコ基地局１００−２の識別情報を報告しなくてもよくなる。
【０２１２】
また、上述した実施の形態において、マクロ基地局１００−１がピコ基地局１００−２のＥ−ＣＧＩを変更するのは、例えば、端末２００がマクロ基地局１００−１からピコ基地局１００−２へハンドオーバするときに行われるものとして説明した。
【０２１３】
例えば、端末２００がピコ基地局１００−２に対して発呼して呼接続を行い、その後、端末２００がピコ基地局１００−２からマクロ基地局１００−１へ移動する場合において、Ｅ−ＣＧＩの変更が行われてもよい。この場合、マクロ基地局１００−１は、ピコ基地局１００−２からＨＯ要求を受信したとき（例えば図１５のＳ１４１）、属性変更テーブル１２６２に基づいてピコ基地局１００−２の属性を上述した例と同様に変更する。これにより、例えば、マクロ基地局１００−１はハンドオーバの際に、ピコ基地局１００−２の識別情報をＭＭＥ３００などへ報告しなくてもよくなる。
【０２１４】
以上まとめると付記のようになる。
【０２１５】
（付記１）
他の基地局装置が形成する第２のサービスエリアを含み、前記第２のサービスエリアよりも広いエリアの第１のサービスエリアを形成し、前記第１のサービスエリアに在圏する端末装置と無線通信を行う基地局装置において、
前記基地局装置と有線接続された他の装置との間で交換される前記他の基地局装置の識別情報を、前記他の基地局装置を前記基地局装置と識別する第１の識別情報から、前記基地局装置において無線信号を送信又は受信するアンテナ毎に形成されたサービスエリアの各々を識別する第２の識別情報へ変更する制御部
を備えることを特徴とする基地局装置。
【０２１６】
（付記２）
前記第１の識別情報は前記他の基地局装置を識別する識別情報を含み、前記第２の識別情報には前記基地局装置を識別する識別情報と前記アンテナにより形成されたサービスエリアを識別する識別情報が含まれることを特徴とする付記１記載の基地局装置。
【０２１７】
（付記３）
前記第１及び第２の識別情報はＥ−ＣＧＩ（E-UTRAN Cell Global Identification）に含まれる識別情報であることを特徴とする付記１記載の基地局装置。
【０２１８】
（付記４）
前記制御部は、前記端末装置が前記基地局装置から前記他の基地局装置へ移動するとき、又は前記端末装置が前記他の基地局装置から前記基地局装置へ移動するとき、前記第２の識別情報への変更を行うことを特徴とする付記１記載の基地局装置。
【０２１９】
（付記５）
前記制御部は、前記端末装置が前記基地局装置から前記他の基地局装置へ移動するとき、前記他の基地局装置の識別情報を前記第１の識別情報から前記第２の識別情報へ変更し、前記端末装置から前記他の基地局装置へ、及び前記他の基地局装置から前記基地局装置を経由して前記他の装置へ至る経路を設定し、
前記経路に従って前記端末装置と前記他の装置はデータを交換することを特徴とする付記１記載の基地局装置。
【０２２０】
（付記６）
前記制御部は、前記端末装置が前記基地局装置から前記他の基地局装置へ移動するとき、第１のモードから第２のモードへ移行し、前記第２のモードにおいて、前記他の基地局装置の識別情報を前記第１の識別情報から前記第２の識別情報へ変更し、前記端末装置から前記他の基地局装置へ、及び前記他の基地局装置から前記基地局装置を経由して前記他の装置へ至る経路を設定し、
前記経路に従って前記端末装置と前記他の装置はデータを交換することを特徴とする付記１記載の基地局装置。
【０２２１】
（付記７）
前記制御部は、前記経路を示す経路情報を生成し、前記経路情報に従って、前記他の装置から受け取った前記端末装置宛のデータを前記他の基地局装置へ送信し、前記他の基地局装置から受け取ったデータを前記他の装置へ送信することを特徴とする付記６記載の基地局装置。
【０２２２】
（付記８）
前記制御部は、生成した前記経路情報を前記他の基地局装置へ送信することを特徴とする付記７記載の基地局装置。
【０２２３】
（付記９）
第１のサービスエリアを形成する第１の基地局装置と、
前記第１のサービスエリアを含み、前記第１のサービスエリアよりも広いエリアの第２のサービスエリアを形成する第２の基地局装置と、
端末装置とを備え、
前記第１又は第２のサービスエリアに在圏する端末装置と前記第１又は第２の基地局装置との間で無線通信がそれぞれ行われる通信システムにおいて、
前記第２の基地局装置は、
前記第２の基地局装置と有線接続された他の装置との間で交換される前記第１の基地局装置の識別情報を、前記第１の基地局装置を前記第２の基地局装置と識別する第１の識別情報から、前記第２の基地局装置において無線信号を送信又は受信するアンテナ毎に形成されたサービスエリアの各々を識別する第２の識別情報へ変更する制御部
を備えることを特徴とする通信システム。
【０２２４】
（付記１０）
他の基地局装置が形成する第２のサービスエリアを含み、前記第２のサービスエリアよりも広いエリアの第１のサービスエリアを形成し、前記第１のサービスエリアに在圏する端末装置と無線通信を行う基地局装置における制御方法であって、
制御部により、前記基地局装置と有線接続された他の装置との間で交換される前記他の基地局装置の識別情報を、前記他の基地局装置を前記基地局装置と識別する第１の識別情報から、前記基地局装置において無線信号を送信又は受信するアンテナ毎に形成されたサービスエリアの各々を識別する第２の識別情報へ変更する
ことを特徴とする制御方法。
【０２２５】
（付記１１）
他の基地局装置が形成する第２のサービスエリアを含み、前記第２のサービスエリアよりも広いエリアの第１のサービスエリアを形成し、前記第１のサービスエリアに在圏する端末装置と無線通信を行う基地局装置において、
前記基地局装置と有線接続された他の装置との間で交換される前記他の基地局装置の識別情報を、前記他の基地局装置を前記基地局装置と識別する第１の識別情報から、前記基地局装置において無線信号を送信又は受信するアンテナ毎に形成されたサービスエリアの各々を識別する第２の識別情報へ変更するコントローラ
を備えることを特徴とする基地局装置。
【符号の説明】
【０２２６】
１０：通信システム                    １００：基地局装置
１００−１：マクロ基地局（マクロセル）
１００−２：ピコ基地局（ピコセル）
１００−Ｍ：サービスエリア（マクロセル）
１００−Ｐ：サービスエリア（ピコセル）
１１０：無線部                        １２０：制御・ベースバンド部
１２１：インタフェース部              １２２：制御部
１２６：メモリ                        １２６１：属性情報テーブル
１２６２：属性変更テーブル            ２００：端末装置
３００：ＭＭＥ                        ４００：Ｓ−ＧＷ
５００：ＥＰＣ
【図１】
0006402634.tif 000002
【図２】
0006402634.tif 000003
【図３】
0006402634.tif 000004
【図４】
0006402634.tif 000005
【図５】
0006402634.tif 000006
【図６】
0006402634.tif 000007
【図７】
0006402634.tif 000008
【図８】
0006402634.tif 000009
【図９】
0006402634.tif 000010
【図１０】
0006402634.tif 000011
【図１１】
0006402634.tif 000012
【図１２】
0006402634.tif 000013
【図１３】
0006402634.tif 000014
【図１４】
0006402634.tif 000015
【図１５】
0006402634.tif 000016
【図１６】
0006402634.tif 000017
【図１７】
0006402634.tif 000018
【図１８】
0006402634.tif 000019
【図１９】
0006402634.tif 000020
【図２０】
0006402634.tif 000021